(57)【要約】      （修正有）【課題】一体に編成されかつ弾力性及び導電効果を有する織物圧力スイッチを提供する。【解決手段】織物圧力スイッチは、第一弾性導電性編み組織２０と第二弾性導電性編み組織４０と支持編み組織３０とを含み、支持編み組織３０が第一弾性導電性編み組織２０と第二弾性導電性編み組織４０とに双方を接続するよう位置し、第一弾性導電性編み組織２０と第二弾性導電性編み組織４０と支持編み組織３０とが織物圧力スイッチに一体に編成されている。【選択図】図３
0003183657.tif 000002
【実用新案登録請求の範囲】
【請求項１】
複数本の第一構造糸と複数本の第一弾性糸と複数本の第一導電性糸とで交互に編成され、そのうち一本の第一構造糸と一本の第一弾性糸とが同組に編まれるとともに一本の第一導電性糸と間隔をおいて編成されてなる第一弾性導電性編み組織と、
複数本の第二構造糸と複数本の第二弾性糸と複数本の第二導電性糸とで交互に編成され、そのうち一本の第二構造糸と一本の第二弾性糸とが同組に編まれるとともに一本の第二導電性糸と間隔をおいて編成されてなる第二弾性導電性編み組織と、
複数本の第一支持糸と複数本の第二支持糸とからなり、前記第一弾性導電性編み組織と前記第二弾性導電性編み組織との間に連接され、そのうち、各第一支持糸のそれぞれが一本の第一構造糸および一本の第一弾性糸と同組に編まれ、さらに前記第二弾性導電性編み組織まで延びて対応する位置の一本の第二構造糸および一本の第二弾性糸と同組に編まれ、各第二支持糸のそれぞれがいずれも一本の第一導電性糸と同組に編まれ、さらに第二弾性導電性編み組織まで延びて対応する位置の一本の第二弾性糸と同組に編まれた支持編み組織と、を含む織物圧力スイッチ。
【請求項２】
前記第一構造糸および前記第二構造糸は、ポリエステル糸、多孔質繊維糸、アルギン酸ナトリウム繊維糸、カルボキシメチルセルロース繊維糸、レーヨン繊維糸、金属繊維糸、カーボンナノチューブ繊維糸及びカーボン繊維糸のうち一つであることを特徴とする請求項１に記載の織物圧力スイッチ。
【請求項３】
前記第一導電性糸および前記第二導電性糸は、金属繊維糸、カーボンナノチューブ繊維糸及びカーボン繊維糸のうち一つであることを特徴とする請求項１に記載の織物圧力スイッチ。
【請求項４】
前記第一弾性糸および前記第二弾性糸はポリウレタン弾性糸であることを特徴とする請求項１に記載の織物圧力スイッチ。
【請求項５】
前記第一支持糸および前記第二支持糸は、ポリエステル糸およびナイロン糸のうち一つであることを特徴とする請求項１に記載の織物圧力スイッチ。
【請求項６】
前記第一構造糸、前記第一弾性糸および前記第一導電性糸は、鎖編み方式により前記第一弾性導電性編み組織に交互に編成されることを特徴とする請求項１に記載の織物圧力スイッチ。
【請求項７】
前記第二構造糸、前記第二弾性糸および前記第二導電性糸は、鎖編み方式により前記第二弾性導電性編み組織に交互に編成されることを特徴とする請求項１に記載の織物圧力スイッチ。
【請求項８】
前記第一導電性糸が前記第一弾性導電性編み組織全体の面に突出し、前記第二導電性糸が前記第二弾性導電性編み組織全体の面に突出していることを特徴とする請求項１に記載の織物圧力スイッチ。
【考案の詳細な説明】
【技術分野】
【０００１】
本考案は、織物圧力スイッチに係り、特に、弾力性および導電の効果を両立させる織物圧力スイッチに関する。
【背景技術】
【０００２】
図１に示すように、従来、生理検出のために用いるセンシング素子１は、下地層１０と、下地層１０に設けられる導電層１１とを備え、使用時に、導電層を人体の皮膚に貼り付けて、人体からの信号を検出してこの位置が受圧されたかを判断するようになっている。
このようなセンシング素子１の導電層１１は、弾力性に劣り、人体の皮膚との間の導電効果が十分ではないため、人体からの信号を効果的に検出できず、付けるにも快適ではない。
そのため、図２に示すように、導電層１１と下地層１０との間に弾性層１２を加え、弾性層１２で導電層１１と人体の皮膚との間での密接度を高めるとともに、保湿効果を備えるように保湿材で作製することによって、導電層１１の導電効果を向上させるように改良を行ってきた。
しかし、弾性層１２と導電層１１とが別体となる２層であるため、弾性層１２が外部の水分を吸い込もうとすると、導電層１１を介さなければならないため、吸水効果に影響が出る。一方、弾性層１２が水分を導電層１１と人体の皮膚との間に放出する場合にも、導電層１１に阻まれその水分の放出に影響を与えてしまう。
また、弾性層１２と導電層１１とが外力により結合（例えば、接着）された２層であるため、長期間に亘る弾性層１２の高湿度の影響下で分離しやすく、センシング素子１が元の効果を失うことになる。
また、上記方式では、センシング素子１は衣服に貼り付けられており、ユーザが服を着た後、センシング素子１が貼り付けられた箇所に圧力が受けられていない時にも、人体に密接する可能性があるため、センシング素子１が人体に接して受圧信号を検出し、判断ミスをおこすことがある。
【０００３】
以上に鑑みて、検出品質及び製品寿命を向上させ、弾力性及び導電効果を有し、一定の圧力を受けた後に初めて信号を検出し始める織物構造を提供することが、本考案を創作しようとする動機である。
【考案の概要】
【考案が解決しようとする課題】
【０００４】
本考案は、一体に編成されかつ弾力性及び導電効果を有する織物圧力スイッチを提供することを主な目的とする。
【０００５】
本考案は、保湿効果を有する織物圧力スイッチを提供することを次の目的とする。
【課題を解決するための手段】
【０００６】
前記の目的を達成するため、本考案に係る織物圧力スイッチは、複数本の第一構造糸と複数本の第一弾性糸と複数本の第一導電性糸とで交互に編成され、そのうち一本の第一構造糸と一本の第一弾性糸とが同組に編まれるとともに一本の第一導電性糸と間隔をおいて編成されてなる第一弾性導電性編み組織と、複数本の第二構造糸と複数本の第二弾性糸と複数本の第二導電性糸とで交互に編成され、そのうち一本の第二構造糸と一本の第二弾性糸とが同組に編まれるとともに一本の第二導電性糸と間隔をおいて編成されてなる第二弾性導電性編み組織と、複数本の第一支持糸と複数本の第二支持糸とからなり、前記第一弾性導電性編み組織と前記第二弾性導電性編み組織との間に連接され、そのうち、各第一支持糸のそれぞれが一本の第一構造糸および一本の第一弾性糸と同組に編まれ、さらに前記第二弾性導電性編み組織まで延びて対応する位置の一本の第二構造糸および一本の第二弾性糸と同組に編まれ、各第二支持糸のそれぞれがいずれも一本の第一導電性糸と同組に編まれ、さらに第二弾性導電性編み組織まで延びて対応する位置の一本の第二弾性糸と同組に編まれた支持編み組織と、を含む。
【０００７】
上記のような織物圧力スイッチにおいて、これらの第一構造糸およびこれらの第二構造糸は、ポリエステル糸、多孔質繊維糸、アルギン酸ナトリウム繊維糸、カルボキシメチルセルロース繊維糸、レーヨン繊維糸、金属繊維糸、カーボンナノチューブ繊維糸及びカーボン繊維糸のうち一つである。
【０００８】
上記のような織物圧力スイッチにおいて、これらの第一導電性糸およびこれらの第二導電性糸は、金属繊維糸、カーボンナノチューブ繊維糸及びカーボン繊維糸のうち一つである。
【０００９】
上記のような織物圧力スイッチにおいて、これらの第一弾性糸およびこれらの第二弾性糸はポリウレタン弾性糸である。
【００１０】
上記のような織物圧力スイッチにおいて、これらの第一支持糸およびこれらの第二支持糸は、ポリエステル糸およびナイロン糸のうち一つである。
【００１１】
上記のような織物圧力スイッチにおいて、これらの第一構造糸、これらの第一弾性糸およびこれらの第一導電性糸は、鎖編み方式により当該弾性導電性編み組織に交互に編成される。
【００１２】
上記のような織物圧力スイッチにおいて、これらの第二構造糸、これらの第二弾性糸およびこれらの第二導電性糸は、鎖編み方式により第二弾性導電性編み組織に交互に編成される。
【００１３】
上記のような織物圧力スイッチにおいて、前記第一弾性導電性編み組織、前記第二弾性導電性編み組織および前記支持編み組織が当該織物圧力スイッチに一体に編成されることにより同平面体織物において弾力性および導電の効果を同時に備え、さらに、前記第一弾性導電性編み組織および前記第二弾性導電性編み組織は、保湿効果のある構造糸を混ぜ編みすることにより保湿の効果を備える。
【００１４】
本考案の特徴点及び技術的内容をより深く理解するために、以下の本考案に係る詳細説明及び添付図面を参照する。前記添付図面は参考や説明のために供されるにすぎず、本考案を限定するものではない。
【図面の簡単な説明】
【００１５】
【図１】従来の生理検出用のセンシング素子の側面図である。
【図２】従来の生理検出用のセンシング素子の側面図である。
【図３】本考案の織物圧力スイッチの部分拡大の斜視図である。
【図４】本考案の織物圧力スイッチの部分拡大の側断面図である。
【図５】本考案の織物圧力スイッチを実施する時の模式図である。
【考案を実施するための形態】
【００１６】
図３は、本考案の織物圧力スイッチの斜視図である。図に示すように、本実施形態では、本考案の織物圧力スイッチは、弾性導電性編み組織２０と、支持編み組織３０と、第二弾性導電性編み組織４０と、を含み、前記三者が当該織物圧力スイッチに一体に編成されており、支持編み組織３０が第一弾性導電性編み組織２０と第二弾性導電性編み組織４０との間に双方を接続するように位置されている。
【００１７】
図３に示すように、第一弾性導電性編み組織２０は、複数本の第一構造糸２００と、複数本の第一弾性糸２０１と、複数本の第一導電性糸２０２とで交互に編成され、そのうち一本の第一構造糸２００と一本の第一弾性糸２０１とが同組に編まれるとともに一本の第一導電性糸２０２と間隔をおいて編成されている。
また、これらの第一構造糸２００、これらの第一弾性糸２０１およびこれらの第一導電性糸２０２は、鎖編み方式により当該第一弾性導電性編み組織２０に交互に編成されている。第二弾性導電性編み組織４０は、複数本の第二構造糸４００と、複数本の第二弾性糸４０１と、複数本の第二導電性糸４０２とで交互に編成され、そのうち一本の第二構造糸４００と一本の第二弾性糸４０１とが同組に編まれるとともに一本の第二導電性糸４０２と間隔をおいて編成されている。
支持編み組織３０は、複数本の第一支持糸３００と複数本の第二支持糸３０１とからなり、第一弾性導電性編み組織２０と第二弾性導電性編み組織４０との間に連接され、そのうち、各第一支持糸３００のそれぞれが一本の第一構造糸２００および一本の第一弾性糸２０１と同組に編まれている。
さらに第二弾性導電性編み組織４０まで延びて一本の第二構造糸４００および一本の第二弾性糸４０１と同組に編まれ、各第二支持糸３０１のそれぞれが一本の導電性糸２０２と同組に編まれ、さらに第二弾性導電性編み組織４０まで延びて一本の第二導電性糸４０２と同組に編まれている。これらの第一支持糸３００とこれらの第二支持糸３０１とで交互に形成された構造により、本考案の織物圧力スイッチは弾力性がより豊かになり、衣類に使用した場合、ユーザに一層の快適感を与えられる。
【００１８】
図４は、本考案の織物圧力スイッチの部分拡大の側断面図である。図に示すように、第一弾性導電性編み組織２０は、複数本の第一構造糸２００と、複数本の第一弾性糸２０１と、複数本の第一導電性糸２０２とで交互に編成され、そのうち一本の第一構造糸２００と一本の第一弾性糸２０１とが同組に編まれるとともに一本の第一導電性糸２０２と間隔をおいて編成されている。
このため、織物圧力スイッチ全体が編み組まれると、糸上の引っ張り力が消え、第一弾性糸２０１が収縮しながら導電性糸２０２を外へ押し出し、第一導電性糸２０２を第一弾性導電性編み組織２０全体の面にやや突出させる。
このように、織物が人体に接する時に、導電性糸２０２は人体に先に接する効果を確保できるため、本考案の織物圧力スイッチは、より好適な検出効果を備える。同様に、第二弾性導電性編み組織４０は第一弾性導電性編み組織２０と同じ構造および効果を備える。
【００１９】
図５は、本考案の織物圧力スイッチを実施する時の模式図である。図に示すように、本考案の織物圧力スイッチが重量物５０の圧力を受けると、第一弾性導電性編み組織２０と第二弾性導電性編み組織４０とが支持編み組織３０を押圧して互いに接触する。
この時、第一導電性糸２０２と第二導電性糸４０２とが導通されるため、第一導電性糸２０２と第二導電性糸４０２とに受信・表示装置（図示せず）を外接すれば、受圧されるかを検出することができる。
また、織物圧力スイッチの圧力が解除された後、支持編み組織３０の支持力により図３の状態に復元し、第一導電性糸２０２と第二導電性糸４０２とが短絡するため、受けた圧力が解除されたことを受信・表示装置により知ることができる。
【００２０】
第一構造糸２００および第二構造糸４００は、ポリエステル糸（ｐｏｌｙｅｓｔｅｒ  ｙａｒｎ）、多孔質繊維糸（ｐｏｒｏｕｓ  ｆｉｂｅｒ  ｙａｒｎ）、アルギン酸ナトリウム繊維糸（ａｌｇｉｎａｔｅ  ｆｉｂｅｒ  ｙａｒｎ）、カルボキシメチルセルロース繊維糸（ｃａｒｂｏｘｙｍｅｔｈｙｌ  ｃｅｌｌｕｌｏｓｅ  ｆｉｂｅｒ  ｙａｒｎ）及びレーヨン繊維糸（ｒａｙｏｎ  ｆｉｂｅｒ  ｙａｒｎ）、金属繊維糸（ｍｅｔａｌ  ｆｉｂｅｒ  ｙａｒｎ）、カーボンナノチューブ繊維糸（ｃａｒｂｏｎ  ｎａｎｏｔｕｂｅ  ｆｉｒｂｅｒ  ｙａｒｎ）及びカーボン繊維糸（ｃａｒｂｏｎ  ｆｉｂｅｒ  ｙａｒｎ）のうち一つである。
そのうち、多孔質繊維糸、アルギン酸ナトリウム繊維糸、カルボキシメチルセルロース繊維糸及びレーヨン繊維糸は、保湿効果を有するため、第一構造糸２００および第二構造糸４００に、上記４種類の材質を選べば、本考案の織物圧力スイッチは、弾力性、保湿および導電の効果を同時に備えることができる。
【００２１】
これらの第一弾性糸２０１およびこれらの第二弾性糸４０１はポリウレタン弾性糸（ｓｐａｎｄｅｘ  ｙａｒｎ）であり、これらの第一導電性糸２０２および第二導電性糸４０２は、金属繊維糸（ｍｅｔａｌ  ｆｉｂｅｒ  ｙａｒｎ）、カーボンナノチューブ繊維糸（ｃａｒｂｏｎ  ｎａｎｏｔｕｂｅ  ｆｉｒｂｅｒ  ｙａｒｎ）及びカーボン繊維糸（ｃａｒｂｏｎ  ｆｉｂｅｒ  ｙａｒｎ）のうち一つである。これらの第一支持糸３００およびこれらの第二支持糸３０１は、ポリエステル糸（ｐｏｌｙｅｓｔｅｒ  ｙａｒｎ）およびナイロン糸（ｎｙｌｏｎ  ｙａｒｎ）のうち一つである。
【００２２】
以上は、単に本考案の好ましい具体的な実施例に過ぎず、本考案の実用新案登録請求の範囲を限定するものではない。
いずれの本考案の実用新案登録請求の範囲及び明細書の内容によって実施した簡単的等価な変更や修飾なども、本考案の主張範囲内に納入されるべきことは言うまでもない。
【符号の説明】
【００２３】
１      センシング素子
１０    下地層
１１    導電層
１２    弾性層
２０    第一弾性導電性編み組織
３０    支持編み組織
４０    第二弾性導電性編み組織
２００  第一構造糸
２０１  第一弾性糸
２０２  第一導電性糸
３００  第一支持糸
３０１  第二支持糸
４００  第二構造糸
４０１  第二弾性糸
４０２  第二導電性糸
【図１】
0003183657.tif 000003
【図２】
0003183657.tif 000004
【図３】
0003183657.tif 000005
【図４】
0003183657.tif 000006
【図５】
0003183657.tif 000007